(57)【要約】【課題】本発明は未使用の記録紙と片面記録済の記録紙が混在しても適切に画像形成する画像処理装置を提供する。【解決手段】ＭＦＰ１は、給紙部２の給紙トレイ６ａ〜６ｃに収納する複数枚の記録紙が、ＡＤＦ４の原稿載置台２１上にセットされ、記録紙調査が指示されると、当該搬送される記録紙を給紙センサ２２で検出して表面イメージセンサ２４と裏面イメージセンサ２６で当該記録紙の表裏面の画像の有無を検出し、当該記録紙が順次何枚目の記録紙であるかを示す枚数情報と表裏面の画像の有無の画像情報を取得して、用紙管理部３２のメモリに記憶し、また、各記録紙に当該枚数情報と画像情報を記録印字部２７で記録する。したがって、各記録紙の状態（両面白紙、片面白紙、両面記録済等）を効率的に取得することができ、記録紙の分別を容易に行うことができる。【選択図】          図３
2005094473.tif 000002
【特許請求の範囲】
【請求項１】
原稿載置台上にセットされた複数の原稿を１枚ずつ搬送して、当該搬送される原稿を順次用紙検出手段で検出して当該検出した原稿の表面と裏面の画像を順次表面読取手段と裏面読取手段で読み取る自動原稿搬送部を備え、記録紙トレイに収納されている複数枚の記録紙を順次画像記録手段に搬送する給紙手段と、前記表面読取手段と前記裏面読取手段の少なくともいずれかの読取手段の読み取った原稿の画像を前記給紙手段により搬送されてくる前記記録紙に記録する画像記録手段と、を備えた画像処理装置において、前記記録紙トレイに収納する複数枚の記録紙が前記原稿載置台上にセットされて、記録紙調査が指示されると、当該原稿載置台上の記録紙を１枚ずつ搬送して、当該搬送される記録紙を前記用紙検出手段で検出して前記表面読取手段と前記裏面読取手段で当該記録紙の表裏面の画像の有無を検出し、当該記録紙が順次何枚目の記録紙であるかを示す枚数情報と表裏面の画像の有無の画像情報を記憶手段に記憶する記録紙調査処理を行うことを特徴とする画像処理装置。
【請求項２】
前記自動原稿搬送部は、前記表面読取手段と前記裏面読取手段のうち前記原稿の搬送方向下流側の読取手段よりも下流側に所定の記録手段を備え、前記画像処理装置は、当該記録手段で、前記枚数情報と前記画像情報を各記録紙に順次記録することを特徴とする請求項１記載の画像処理装置。
【請求項３】
前記画像処理装置は、所定の表示手段を備え、前記記録紙調査処理で調査した両面白紙、片面白紙、両面記録済等の記録紙分類情報とその枚数等を記録紙調査結果情報として前記表示手段に表示出力することを特徴とする請求項１または請求項２記載の画像処理装置。
【請求項４】
前記自動原稿搬送部は、読み取りの完了した用紙を排出する複数の用紙排出トレイを備え、前記画像処理装置は、前記記録紙調査時、前記記録紙調査結果に基づいて、前記自動原稿搬送部に、前記画像情報の一致する記録紙毎に前記複数の用紙排出トレイに分類して排出させることを特徴とする請求項１から請求項３のいずれかに記載の画像処理装置。
【請求項５】
前記画像処理装置は、所定の表示手段を備え、前記記録紙調査処理が先に行われて前記記録手段で前記枚数情報と前記画像情報の記録されている記録紙群が、前記自動原稿搬送部の原稿載置台に再度セットされて、記録紙調査が指示されると、前記表面読取手段と前記裏面読取手段のいずれかで読み取った当該記録紙に記録されている前記枚数情報と前記画像情報が前記記憶手段に記憶されている前記枚数情報と前記画像情報に一致するか否かを当該記録紙毎に調査して、一致しないときには、その旨を前記表示手段に表示することを特徴とする請求項２から請求項４のいずれかに記載の画像処理装置。
【発明の詳細な説明】
【技術分野】
【０００１】
本発明は、画像処理装置に関し、詳細には、未使用の記録紙と片面記録済の記録紙が混在しても適切に画像形成する画像処理装置に関する。
【背景技術】
【０００２】
従来から、複写機能、プリンタ機能、ファクシミリ機能等の複合機能を有するデジタル複写機等のＭＦＰ（マルチファンクション装置）があり、このようなＭＦＰには、一群の原稿束から１枚ずつ原稿を分離して読取位置に搬送して、読み取りの完了した原稿を排紙部に排出するＡＤＦ（Auto Document Fieder：自動原稿搬送装置）を備えていることが多い（特許文献１参照）。
【０００３】
このようにＡＤＦを備えることで、原稿を読み取る際に、原稿を１枚ずつ読み取る手間が省け、非常に効率的であり、さらに、ＡＤＦを使用すると、読み取りの完了した原稿が向きを揃えて、排紙部に排出され、排紙後の原稿の整理も必要がなくなり、効率的である。
【０００４】
そして、このようなＡＤＦを備えたＭＦＰは、一般的に、画像メモリを備え、複写を行う場合、ＡＤＦで搬送された原稿の画像を読み取った画像データを一旦画像メモリに格納し、通常、記録準備が整い次第、画像メモリから読み出して、記録紙に記録出力する。
【０００５】
また、画像処理装置は、従来から記録紙の両面に画像を記録する両面記録可能な装置が出現している（特許文献２等参照）。
【０００６】
【特許文献１】特開平８−２７９８８４号公報
【特許文献２】特開平７−６６９２９号公報
【発明の開示】
【発明が解決しようとする課題】
【０００７】
しかしながら、ＡＤＦを備えかつ両面記録可能な画像処理装置にあっては、自動で原稿を搬送するとともに両面記録することができ、利用性が良好であるが、一方、記録紙として片面記録済記録紙を用いることを考慮すると、利用性を向上させる上で改良の必要があった。
【０００８】
すなわち、従来から記録紙としては、両面とも白紙の記録紙が一般的に用いられるが、資源の有効利用を図るために、片面に既に画像の記録されている片面記録済記録紙も用いられる。
【０００９】
そして、両面白紙記録紙は、両面とも使用可能であるため、両面記録可能な画像処理装置で画像形成する場合、ユーザにより両面書き込み等の転写に関する設定を行うことができるが、片面記録済記録紙の場合には、事前に片面が記録済であることをユーザが既知のものとしていないと、知らずに両面書き込み等を行ってしまい、記録済面に画像形成するという２度書きを行って、ユーザが意図しない画像形成が行われて、排紙されることとなる。
【００１０】
特に、同じ給紙トレイに片面記録済記録紙と両面白紙記録紙が混在している場合には、給紙トレイに入っているどの記録紙が片面記録済記録紙であり、どの記録紙が両面白紙記録紙であるのかを簡単に分別することができないだけでなく、分別するための作業も必要となり、極めて非効率的で、利用性が悪いという問題がある。
【００１１】
そこで、本発明は、ＡＤＦを備えた画像処理装置で、片面記録済記録紙と両面白紙記録紙が混在する記録紙群を、給紙トレイに格納する前に、ＡＤＦにセットして、画像処理装置の画像読取部に記録紙を１枚ずつ分離して順次搬送して読み取らせ、記録紙を読み取る毎に給紙された一群の記録紙の束からどの記録紙が片面記録済記録紙または両面白紙記録紙であるかの記録紙の種別を記憶して、全ての記録紙が排紙されると、記録紙の種別情報を表示して通知し、記録紙の分別を容易に行うことができるようにする画像処理装置を提供することを目的としている。
【００１２】
具体的には、請求項１記載の発明は、記録紙トレイに収納する複数枚の記録紙が、自動原稿搬送部の原稿載置台上にセットされ、記録紙調査が指示されると、当該搬送される記録紙を用紙検出手段で検出して表面読取手段と裏面読取手段で当該記録紙の表裏面の画像の有無を検出し、当該記録紙が順次何枚目の記録紙であるかを示す枚数情報と表裏面の画像の有無の画像情報を取得して、記憶手段に記憶することにより、各記録紙の状態（両面白紙、片面白紙、両面記録済等）を効率的に取得し、記録紙の分別を容易に行うことができるようにする画像処理装置を提供することを目的としている。
【００１３】
請求項２記載の発明は、自動原稿搬送部に、表面読取手段と裏面読取手段のうち原稿の搬送方向下流側の読取手段よりも下流側に設けられた記録手段で、枚数情報と画像情報を各記録紙に順次記録することにより、各記録紙の状態が記録紙自体で簡単かつ適切に分かるようにするとともに、複数回記録紙調査を実施する際の情報を記録紙自体から取得できるようにし、記録紙の分別をより一層容易に行うことができるようにする画像処理装置を提供することを目的としている。
【００１４】
請求項３記載の発明は、記録紙調査処理で調査した両面白紙、片面白紙、両面記録済等の記録紙分類情報とその枚数等を記録紙調査結果情報として表示手段に表示出力することにより、各記録紙の状態が表示手段への表示内容で簡単かつ適切に分かるようにするとともに、複数回記録紙調査を実施する際の情報を記録紙自体から取得できるようにし、記録紙の分別をより一層容易に行うことができるようにする画像処理装置を提供することを目的としている。
【００１５】
請求項４記載の発明は、記録紙調査時、記録紙調査結果に基づいて、読み取りの完了した用紙を排出する複数の用紙排出トレイを備えている自動原稿搬送部に、画像情報の一致する記録紙毎に当該複数の用紙排出トレイに分類して排出させることにより、一群の記録紙の束を、画像情報毎に効率的かつ的確に分別し、記録紙の分別をより一層容易に行うことができるようにする画像処理装置を提供することを目的としている。
【００１６】
請求項５記載の発明は、記録紙調査処理が先に行われて記録手段で枚数情報と画像情報の記録されている記録紙群が、自動原稿搬送部の原稿載置台に再度セットされて、記録紙調査が指示されると、表面読取手段と裏面読取手段のいずれかで読み取った当該記録紙に記録されている枚数情報と画像情報が記憶手段に記憶されている枚数情報と画像情報に一致するか否かを当該記録紙毎に調査して、一致しないときには、その旨を表示手段に表示することにより、複数回記録紙調査を実施する際の情報を記録紙自体から取得して、当該記録紙の変更等の有無を適切に把握し、記録紙の分別をより一層容易に行うことができるようにする画像処理装置を提供することを目的としている。
【課題を解決するための手段】
【００１７】
請求項１記載の発明の画像処理装置は、原稿載置台上にセットされた複数の原稿を１枚ずつ搬送して、当該搬送される原稿を順次用紙検出手段で検出して当該検出した原稿の表面と裏面の画像を順次表面読取手段と裏面読取手段で読み取る自動原稿搬送部を備え、記録紙トレイに収納されている複数枚の記録紙を順次画像記録手段に搬送する給紙手段と、前記表面読取手段と前記裏面読取手段の少なくともいずれかの読取手段の読み取った原稿の画像を前記給紙手段により搬送されてくる前記記録紙に記録する画像記録手段と、を備えた画像処理装置において、前記記録紙トレイに収納する複数枚の記録紙が前記原稿載置台上にセットされて、記録紙調査が指示されると、当該原稿載置台上の記録紙を１枚ずつ搬送して、当該搬送される記録紙を前記用紙検出手段で検出して前記表面読取手段と前記裏面読取手段で当該記録紙の表裏面の画像の有無を検出し、当該記録紙が順次何枚目の記録紙であるかを示す枚数情報と表裏面の画像の有無の画像情報を記憶手段に記憶する記録紙調査処理を行うことにより、上記目的を達成している。
【００１８】
この場合、例えば、請求項２に記載するように、前記自動原稿搬送部は、前記表面読取手段と前記裏面読取手段のうち前記原稿の搬送方向下流側の読取手段よりも下流側に所定の記録手段を備え、前記画像処理装置は、当該記録手段で、前記枚数情報と前記画像情報を各記録紙に順次記録するものであってもよい。
【００１９】
また、例えば、請求項３に記載するように、前記画像処理装置は、所定の表示手段を備え、前記記録紙調査処理で調査した両面白紙、片面白紙、両面記録済等の記録紙分類情報とその枚数等を記録紙調査結果情報として前記表示手段に表示出力するものであってもよい。
【００２０】
さらに、例えば、請求項４に記載するように、前記自動原稿搬送部は、読み取りの完了した用紙を排出する複数の用紙排出トレイを備え、前記画像処理装置は、前記記録紙調査時、前記記録紙調査結果に基づいて、前記自動原稿搬送部に、前記画像情報の一致する記録紙毎に前記複数の用紙排出トレイに分類して排出させるものであってもよい。
【００２１】
また、例えば、請求項５に記載するように、前記画像処理装置は、所定の表示手段を備え、前記記録紙調査処理が先に行われて前記記録手段で前記枚数情報と前記画像情報の記録されている記録紙群が、前記自動原稿搬送部の原稿載置台に再度セットされて、記録紙調査が指示されると、前記表面読取手段と前記裏面読取手段のいずれかで読み取った当該記録紙に記録されている前記枚数情報と前記画像情報が前記記憶手段に記憶されている前記枚数情報と前記画像情報に一致するか否かを当該記録紙毎に調査して、一致しないときには、その旨を前記表示手段に表示するものであってもよい。
【発明の効果】
【００２２】
請求項１記載の発明の画像処理装置によれば、記録紙トレイに収納する複数枚の記録紙が、自動原稿搬送部の原稿載置台上にセットされ、記録紙調査が指示されると、当該搬送される記録紙を用紙検出手段で検出して表面読取手段と裏面読取手段で当該記録紙の表裏面の画像の有無を検出し、当該記録紙が順次何枚目の記録紙であるかを示す枚数情報と表裏面の画像の有無の画像情報を取得して、記憶手段に記憶するので、各記録紙の状態（両面白紙、片面白紙、両面記録済等）を効率的に取得することができ、記録紙の分別を容易に行うことができる。
【００２３】
請求項２記載の発明の画像処理装置によれば、自動原稿搬送部に、表面読取手段と裏面読取手段のうち原稿の搬送方向下流側の読取手段よりも下流側に設けられた記録手段で、枚数情報と画像情報を各記録紙に順次記録するので、各記録紙の状態が記録紙自体で簡単かつ適切に分かるようにすることができるとともに、複数回記録紙調査を実施する際の情報を記録紙自体から取得することができ、記録紙の分別をより一層容易に行うことができる。
【００２４】
請求項３記載の発明の画像処理装置によれば、記録紙調査処理で調査した両面白紙、片面白紙、両面記録済等の記録紙分類情報とその枚数等を記録紙調査結果情報として表示手段に表示出力するので、各記録紙の状態が表示手段への表示内容で簡単かつ適切に分かるようにすることができるとともに、複数回記録紙調査を実施する際の情報を記録紙自体から取得することができ、記録紙の分別をより一層容易に行うことができる。
【００２５】
請求項４記載の発明の画像処理装置によれば、記録紙調査時、記録紙調査結果に基づいて、読み取りの完了した用紙を排出する複数の用紙排出トレイを備えている自動原稿搬送部に、画像情報の一致する記録紙毎に当該複数の用紙排出トレイに分類して排出させるので、一群の記録紙の束を、画像情報毎に効率的かつ的確に分別することができ、記録紙の分別をより一層容易に行うことができる。
【００２６】
請求項５記載の発明の画像処理装置によれば、記録紙調査処理が先に行われて記録手段で枚数情報と画像情報の記録されている記録紙群が、自動原稿搬送部の原稿載置台に再度セットされて、記録紙調査が指示されると、表面読取手段と裏面読取手段のいずれかで読み取った当該記録紙に記録されている枚数情報と画像情報が記憶手段に記憶されている枚数情報と画像情報に一致するか否かを当該記録紙毎に調査して、一致しないときには、その旨を表示手段に表示するので、複数回記録紙調査を実施する際の情報を記録紙自体から取得して、当該記録紙の変更等の有無を適切に把握することができ、記録紙の分別をより一層容易に行うことができる。
【発明を実施するための最良の形態】
【００２７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２８】
図１〜図４は、本発明の画像処理装置の第１実施例を示す図であり、図１は、本発明の画像処理装置の第１実施例を適用したＭＦＰ（Multi Function Printer：複合装置）１の外観正面図である。
【００２９】
図１において、ＭＦＰ１は、給紙部２の上部に本体部３が載置され、本体部３の上部に、ＡＤＦ（自動原稿搬送部）４が設けられている。本体部３の左側面には、記録済の記録紙を排出する複数の排紙トレイ５ａ〜５ｃが設けられており、給紙部２には、それぞれ複数枚の記録紙を収納する複数の給紙トレイ（記録紙トレイ）６ａ〜６ｃが設けられている。
【００３０】
本体部３は、所定の画像形成方式、例えば、電子写真方式で画像を記録紙に記録する画像形成部が収納されており、画像形成部（画像記録手段）は、給紙部２の給紙トレイ６ａ〜６ｃから搬送されてきた記録紙に画像を形成して、画像を形成した記録紙を排紙トレイ５ａ〜５ｃに排出する。また、画像形成部は、記録紙の表裏面を反転させる反転機構部を備え、反転機構部で記録紙の表裏面を反転させて記録紙の両面に画像を形成する両面記録機能を備えている。画像形成部は、両面記録が選択されると、給紙部２の給紙トレイ６ａ〜６ｃから搬送されてきた記録紙の片面に画像を形成すると、反転機構部で当該片面に画像の形成された記録紙を反転させて、当該反転させた記録紙の他面に画像形成し、両面に画像の形成された記録紙を排紙トレイ５ａ〜５ｃに排出する。
【００３１】
また、本体部３の上部前面には、操作部１０が設けられており、操作部１０は、図２に示すように、テンキー１１、コピー、ＦＡＸ、プリンタ及びスキャナ等の各モードを選択するモード選択キー１２、プログラムキー１３、初期設定キー１４、割り込みキー１５及びスタートキー１６等の各種操作キーを備えているとともに、液晶ディスプレイ（表示手段）１７を備えており、液晶ディスプレイ１７は、各種情報を表示するとともに、タッチ操作でコマンドの入力を行うことのできる液晶タッチパネルが用いられている。この液晶ディスプレイ１７には、スキャナとは別に記録紙を読み取るためのモード(記録紙読取モード)キーが表示され、ユーザは、この記録紙読取モードキーで記録紙読取モードを選択することにより、記録紙の読み取りを行わせることができる。なお、この記録紙読取モードキーは、専用のキーである必要はなく、例えば、各種モードの選択を行うキーの中で選択するものであってもよい。
【００３２】
上記ＡＤＦ４は、図３に示すように構成されており、原稿載置台２１、給紙センサ２２、給紙コロ２３、表面イメージセンサ２４、搬送コロ２５、裏面イメージセンサ２６、記録印字部２７、排紙コロ２８及び原稿排紙台２９等を備えている。また、ＭＦＰ１は、カウンタ部３１及び用紙管理部３２等を備えている。
【００３３】
原稿載置台２１上には、複数枚の原稿及び後述する記録紙読取モード時に給紙トレイ６ａ〜６ｃに載置する記録紙（以降、必要に応じて、原稿と記録紙を総称して用紙Ｐという。）が載置され、給紙コロ２３は、原稿載置台２１上に載置された用紙Ｐを引き込み、この給紙コロ２３の引き込んだ用紙Ｐを給紙センサ２２が検出する。
【００３４】
給紙センサ（用紙検出手段）２２は、記録紙読取モードでは、用紙Ｐ（記録紙）を検出する毎に検出信号をカウンタ部３１に出力し、カウンタ部３１は、検出信号をカウントして、カウント結果を用紙管理部３２に出力する。
【００３５】
給紙コロ２３は、原稿載置台２１上の用紙Ｐを１枚ずつ引き込んで表面イメージセンサ２４及び搬送コロ２５方向に送り出し、搬送コロ２５が送り出されてきた用紙Ｐを表面イメージセンサ２４及び裏面イメージセンサ２６を順次搬送して、排紙コロ２８が原稿排紙台２９上に排出する。
【００３６】
表面イメージセンサ（表面読取手段）２４は、図示しないが、ＬＥＤ等の光源、レンズ、ＣＣＤ（Charge Coupled Device ）等のセンサ素子等で構成されており、表面イメージセンサ２４に密接しつつ搬送される用紙Ｐの表面に、光源から光を照射し、その反射光をレンズでセンサ素子に集束させて、センサ素子で光電変換して、用紙Ｐの表面の画像を所定の解像度で読み取る。
【００３７】
裏面イメージセンサ（裏面読取手段）２６は、図示しないが、表面イメージセンサ２４と同様に、ＬＥＤ等の光源、レンズ、ＣＣＤ等のセンサ素子等で構成されており、裏面イメージセンサ２６に密接しつつ搬送される用紙Ｐの裏面に、光源から光を照射し、その反射光をレンズでセンサ素子に集束させて、センサ素子で光電変換して、用紙Ｐの裏面の画像を所定の解像度で読み取る。
【００３８】
そして、ＭＦＰ１は、両面原稿の読取時、または、記録紙の読取時には、搬送される用紙Ｐの表面の画像を表面イメージセンサ２４で読み取って、当該読み取った用紙Ｐの表面の画像データを画像メモリに格納し、次に、裏面イメージセンサ２６に搬送された用紙Ｐの裏面の画像を裏面イメージセンサ２６で読み取る。
【００３９】
記録印字部（記録手段）２７は、用紙管理部３２の制御下で動作して、記録紙読取モードにおいて、用紙Ｐである記録紙に上記カウント値と当該記録紙が両面白紙、表面白紙、裏面白紙、両面記録済等の画像情報を当該記録紙の所定位置に記録する。
【００４０】
用紙管理部３２は、ＣＰＵ（Central Processing Unit ）やメモリ（記憶手段）等を備え、記録紙読取モードにおいて上記カウンタ部３１のカウントしたカウント結果、表面イメージセンサ２４の検出した用紙Ｐの情報及び裏面イメージセンサ２６の検出した用紙Ｐの情報である記録紙の表面と裏面が白紙、記録済面のいずれであるかの画像情報をメモリに記憶し、上記記憶印字部２７を駆動させて、上記メモリに記憶したカウント値と上記画像情報を記録紙に記録出力させ、また、操作部１０の液晶ディスプレイ１７に表示させる。
【００４１】
次に、本実施例の作用を説明する。本実施例のＭＦＰ１は、給紙部２の給紙トレイ６ａ〜６ｃに複数枚の記録紙からなる記録紙束を収納する際に、当該記録紙束を給紙トレイ６ａ〜６ｃに収納する前に、当該記録紙束をＡＤＦ４にセットして各記録紙の両面を読み取って記録紙の種別を検査するところにその特徴がある。
【００４２】
すなわち、ＭＦＰ１のオペレータは、複数枚の記録紙を給紙トレイ６ａ〜６ｃにセットする前に、まず、ＡＤＦ４の原稿載置台２１にセットして、図２に示したように、操作部１０の液晶ディスプレイ１７のタッチパネルのタッチ操作で、スキャナモードとして記録紙読取モード、すなわち、記録紙調査を選択する。
【００４３】
そして、ＭＦＰ１は、図４に示すように、スキャナモードとして記録紙読取モードが選択されたかチェックし（ステップＳ１０１）、通常モードが選択されると、表面イメージセンサ２４及び裏面イメージセンサ２６の読み取った画像データを通常の原稿を読み取ったときの画像データとして処理する設定として、以降通常の原稿読取処理を行う（ステップＳ１０２）。
【００４４】
ステップＳ１０１で、記録紙読取モードが選択されていると、ＭＦＰ１は、ＡＤＦ４で原稿載置台２１上に載置されている記録紙Ｐを１枚ずつ搬送して、給紙センサ２２が記録紙を検出すると（ステップＳ１０３）、当該記録紙が何枚目であるかをカウンタ部３１でカウントし（ステップＳ１０４）、用紙管理部３２のメモリに枚数情報として記録する（ステップＳ１０５）。また、ＭＦＰ１は、記録紙の片面である表面の読み取りを表面イメージセンサ２４で行わせて（ステップＳ１０６）、当該記録紙の表面の画像種別を判別する（ステップＳ１０７）。すなわち、当該記録紙の表面が白紙、記録済面のいずれであるかを判定する。
【００４５】
ＭＦＰ１は、記録紙の表面の画像種類を判別すると、用紙管理部３１のメモリに上記何枚目であるかのカウント情報と画像種類情報を画像情報として記録する（ステップＳ１０５）。
【００４６】
次に、ＭＦＰ１は、記録紙が裏面イメージセンサ２６に搬送されると、当該記録紙の残り面である裏面の読み取りを裏面イメージセンサ２６に行わせて（ステップＳ１０８）、当該記録紙の裏面の画像種別を判別し（ステップＳ１０９）、上記用紙管理部のメモリに上記何枚目であるかのカウント情報（枚数情報）に関連付けて表面の画像種類情報（画像情報）とともに裏面の画像種類情報を画像情報として記録する（ステップＳ１０５）。
【００４７】
そして、ＭＦＰ１は、用紙管理部３２の制御下で記録印字部２７を駆動させて、用紙管理部３２に格納した当該記録紙の枚数情報と画像情報を当該記録紙の所定位置、例えば、裏面の上角等に記録し（ステップＳ１１０）、ＡＤＦ４の原稿載置台２１にセットされた全ての記録紙について判別処理を行ったかチェックする（ステップＳ１１１）。
【００４８】
ステップＳ１１１で、全ての記録紙の判別処理を終了していないときには、ＭＦＰ１は、ステップＳ１０３に戻って、上記同様に処理する（ステップＳ１０３〜Ｓ１１１）。そして、上記判別処理を順次行うことにより、用紙管理部３２のメモリには、何枚目の記録紙が両面白紙、片面白紙（片面記録済）、両面記録済のいずれの記録紙であるかの画像情報が記録されることとなる。
【００４９】
ステップＳ１１１で、全ての記録紙について判別処理を終了すると、ＭＦＰ１は、操作部１０の液晶ディスプレイ１７に判別処理した記録紙情報を表示して、処理を終了する（ステップＳ１１２）。
【００５０】
そして、ＭＦＰ１は、この液晶ディスプレイ１７への表示では、例えば、全ての記録紙の枚数、各記録紙種別状態毎の枚数等の記録紙情報を表示させる。
【００５１】
このように、本実施例のＭＦＰ１は、給紙部２の給紙トレイ６ａ〜６ｃに収納する複数枚の記録紙が、ＡＤＦ４の原稿載置台２１上にセットされ、記録紙調査が指示されると、当該搬送される記録紙を給紙センサ２２で検出して表面イメージセンサ２４と裏面イメージセンサ２６で当該記録紙の表裏面の画像の有無を検出し、当該記録紙が順次何枚目の記録紙であるかを示す枚数情報と表裏面の画像の有無の画像情報を取得して、用紙管理部３２のメモリに記憶している。
【００５２】
したがって、各記録紙の状態（両面白紙、片面白紙、両面記録済等）を効率的に取得することができ、記録紙の分別を容易に行うことができる。
【００５３】
また、本実施例のＭＦＰ１は、ＡＤＦ４に、表面イメージセンサ２４よりも下流側の裏面イメージセンサ２６よりも下流側に設けられた記録印字部２７で、枚数情報と画像情報を各記録紙に順次記録している。
【００５４】
したがって、各記録紙の状態が記録紙自体で簡単かつ適切に分かるようにすることができるとともに、複数回記録紙調査を実施する際の情報を記録紙自体から取得することができ、記録紙の分別をより一層容易に行うことができる。
【００５５】
さらに、本実施例のＭＦＰ１は、記録紙調査処理で調査した両面白紙、片面白紙、両面記録済等の記録紙分類情報とその枚数等を記録紙調査結果情報として操作部１０の液晶ディスプレイ１７に表示出力している。
【００５６】
したがって、各記録紙の状態が液晶ディスプレイ１７への表示内容で簡単かつ適切に分かるようにすることができるとともに、複数回記録紙調査を実施する際の情報を記録紙自体から取得することができ、記録紙の分別をより一層容易に行うことができる。
【実施例２】
【００５７】
図５は、本発明の画像処理装置の第２実施例を適用したＭＦＰ１のＡＤＦ４０の概略正面図である。
【００５８】
なお、本実施例は、上記第１実施例のＭＦＰ１と同様のＭＦＰに適用したものであり、本実施例の説明において、上記第１実施例と同様の構成部分には、同一の符号を付してその詳細な説明を省略するとともに、図示しない部分についても、必要に応じて、上記第１実施例で用いた符号をそのまま用いて説明する。
【００５９】
図５において、ＡＤＦ４０は、上記台実施例のＭＦＰ１のＡＤＦ４の代わりに搭載され、ＭＦＰ１の制御下で動作する。
【００６０】
ＡＤＦ４０は、第１実施例のＭＦＰ４と同様に、原稿載置台２１、給紙センサ２２、給紙コロ２３、表面イメージセンサ２４、搬送コロ２５、裏面イメージセンサ２６、記録印字部２７及び排紙コロ２８等を備えているとともに、３つの原稿排紙台（用紙排出トレイ）４１、４２、４３等を備えている。また、ＭＦＰ１は、カウンタ部３１及び用紙管理部４４等を備えている。
【００６１】
カウンタ部３１は、上記第１の実施例と同様に、給紙センサ２２の検出した記録紙の枚数をカウントしてカウント値を用紙管理部４４に出力し、用紙管理部４４には、上記第１の実施例と同様に、表面イメージセンサ２４及び裏面イメージセンサ２６の画像情報である記録紙情報が入力される。
【００６２】
用紙管理部４４は、上記第１の実施例と同様に、カウント部３１のカウント結果（枚数情報）と表面イメージセンサ２４及び裏面イメージセンサ２６の検出結果の画像情報に基づいて記録印字部２７を駆動させて記録紙に枚数情報と画像情報を記録させるとともに、図示しない分配機構を制御して、各記録紙をその画像情報に応じた原稿排紙台４１、４２、４３に分類して排出させる。この原稿排紙台４１、４２、４３の分配機構は、例えば、排紙コロ２８の回転速度を変化させることで、各原稿排紙台４１、４２、４３への用紙の排出を切り換える。
【００６３】
すなわち、本実施例のＭＦＰ１は、記録紙読取モードで、ＡＤＦ４０に複数枚の記録紙がセットされ、スタートキーが押下されると、上述のように、記録紙を給紙センサ２２が検出することで、カウント部３１が記録紙の枚数をカウントして、用紙管理部４４が当該枚数情報と、表面イメージセンサ２４と裏面イメージセンサ２６の検出した記録紙の画像情報を、メモリに対応させて格納し、当該記録紙が記録印字部２７を通過するときに、当該記録印字部２７を駆動させて、当該記録紙に当該枚数情報と画像情報を当該記録紙の所定位置に記録させる。さらに、用紙管理部４４は、当該画像情報に基づいて分配機構を制御して、例えば、排紙コロ２８の回転速度を制御して、当該記録紙の画像情報に対応する原稿排紙台４１、４２、４３に当該記録紙を排紙させる。
【００６４】
ＭＦＰ１のＡＤＦ４０は、上記処理を順次記録紙毎に行って、各記録紙毎に、その枚数情報と画像情報を用紙管理部４４のメモリに格納するとともに、当該記録紙に枚数情報と画像情報を記録し、さらに、画像情報に応じた原稿排紙台４１、４２、４３上に排出する。
【００６５】
このように、本実施例のＭＦＰ１は、記録紙調査時、記録紙調査結果に基づいて、読み取りの完了した用紙を排出する複数の排紙トレイ５ａ〜５ｃを備えているＡＤＦ４に、画像情報の一致する記録紙毎に当該複数の排紙トレイ５ａ〜５ｃに分類して排出させている。
【００６６】
したがって、一群の記録紙の束を、画像情報毎に効率的かつ的確に分別することができ、記録紙の分別をより一層容易に行うことができる。
【実施例３】
【００６７】
図６は、本実施例の画像処理装置の第３実施例を適用したＭＦＰによる記録紙チェック処理を示すフローチャートである。
【００６８】
なお、本実施例は、上記第２の実施例のＡＤＦ４０を備えたＭＦＰ１と同様のＭＦＰに適用したものであり、本実施例の説明においては、必要に応じて、上記第１または第２の実施例の説明で用いた符号をそのまま用いて説明する。
【００６９】
本実施例のＭＦＰ１は、記録紙調査処理を終了して、各記録紙に枚数情報と画像情報が記録された記録紙に対して、再度、記録紙調査処理を行って、記録紙に記録されている枚数情報と画像情報に変化があるかを判別する。
【００７０】
すなわち、ＭＦＰ１は、図６に示すように、スキャナモードとして記録紙読取モードが選択されたかチェックし（ステップＳ２０１）、通常モードが選択されると、表面イメージセンサ２４及び裏面イメージセンサ２６の読み取った画像データを通常の原稿を読み取ったときの画像データとして処理する設定として、以降通常の原稿読取処理を行う（ステップＳ２０２）。
【００７１】
ステップＳ２０１で、記録紙読取モードが選択されていると、ＭＦＰ１は、再読取モードが選択されているかチェックし（ステップＳ２０３）、再読取モードではなく、１回目の読取モードであるときには、上記第１実施例または第２実施例で説明した記録紙調査処理を実行する（ステップＳ２０４）。
【００７２】
ステップＳ２０３で、再読取モードが選択されていると、ＭＦＰ１は、ＡＤＦ４０で原稿載置台２１上に載置されている記録紙を１枚ずつ搬送して、給紙センサ２２が記録紙を検出すると（ステップＳ２０５）、当該記録紙が何枚目であるかをカウンタ部３１でカウントして、当該記録紙の枚数情報に対応して用紙管理部３１のメモリに記憶されている画像情報（前記録紙情報）を読み出して、操作部１０の液晶ディスプレイ１７に表示し（ステップＳ２０６）、また、記録紙の片面である表面の読み取りを表面イメージセンサ２４で行わせて（ステップＳ２０７）、当該記録紙の表面の画像種別（画像情報）を判別する（ステップＳ２０８）。
【００７３】
用紙管理部３１は、表面の画像情報を判別すると、メモリに記憶されている当該記録紙の表面の画像情報（図６の用紙管理情報）と一致するかチェックし（ステップＳ２０９）、一致するときには、記録紙が裏面イメージセンサ２６に搬送されると、当該記録紙の残り面である裏面の読み取りを裏面イメージセンサ２６に行わせて（ステップＳ２１０）、当該記録紙の裏面の画像種別を判別する（ステップＳ２１１）。
【００７４】
用紙管理部３１は、記録紙の裏面の画像種別を判別すると、上記用紙管理部３１のメモリに記憶されている当該記録紙の裏面の画像情報（図６の用紙管理情報）と一致するかチェックし（ステップＳ２１２）、一致するときには、記録印字部２７を駆動させて、当該記録紙に一致情報を書き込むとともに、当該記録紙を原稿排紙台２９上に排紙して（ステップＳ２１３）、ＡＤＦ４の原稿載置台２１にセットされた全ての記録紙について判別処理を行ったかチェックする（ステップＳ２１４）。
【００７５】
ステップＳ２１４で、全ての記録紙の判別処理を終了していないときには、ＭＦＰ１は、ステップＳ２０５に戻って、上記同様に処理する（ステップＳ２０５〜Ｓ２１４）。
【００７６】
そして、上記判別処理を順次行うことにより、用紙管理部３２のメモリに記憶されている状態と記録紙の状態に変化がないときには、用紙管理部３２のメモリ状態がそのまま保存されるとともに、原稿排紙台２９には、用紙管理部３２のメモリに記憶されている状態で、原稿が載置される。
【００７７】
また、上記ステップＳ２０９で、ＡＤＦ４の原稿載置台２１にセットされて搬送されてきた記録紙の表面の画像情報と用紙管理部３１のメモリに記憶されている当該記録紙用の表面の画像情報とが一致しないときには、ＭＦＰ１は、当該記録紙の給紙を中止し（ステップＳ２１５）、操作部１０の液晶ディスプレイ１７に不一致である旨の情報を表示して、処理を終了する（ステップＳ２１６）。
【００７８】
このように、本実施例のＭＦＰ１は、記録紙調査処理が先に行われて記録印字部２７で枚数情報と画像情報の記録されている記録紙群が、ＡＤＦ４の原稿載置台２１に再度セットされて、記録紙調査が指示されると、表面イメージセンサ２４と裏面イメージセンサ２６のいずれかで読み取った当該記録紙に記録されている枚数情報と画像情報が用紙管理部３１のメモリに記憶されている枚数情報と画像情報に一致するか否かを当該記録紙毎に調査して、一致しないときには、その旨を操作部１０の液晶ディスプレイ１７に表示している。
【００７９】
したがって、複数回記録紙調査を実施する際の情報を記録紙自体から取得して、当該記録紙の変更等の有無を適切に把握することができ、記録紙の分別をより一層容易に行うことができる。
【００８０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８１】
ＡＤＦで原稿を搬送して読み取った画像を記録可能な画像処理装置一般に適用することができる。
【図面の簡単な説明】
【００８２】
【図１】本発明の画像処理装置の第１実施例を適用したＭＦＰの外観正面図。
【図２】図１のＭＦＰの操作部の平面図。
【図３】図１のＭＦＰのＡＤＦの正面概略構成図。
【図４】図１のＭＦＰによる記録紙チェック処理を示すフローチャート。
【図５】本発明の画像処理装置の第２実施例を適用したＭＦＰのＡＤＦの正面概略構成図。
【図６】本発明の画像処理装置の第３実施例を適用したＭＦＰによる記録紙チェック処理を示すフローチャート。
【符号の説明】
【００８３】
１  ＭＦＰ
２  給紙部
３  本体部
４  ＡＤＦ
５ａ〜５ｃ  排紙トレイ
６ａ〜６ｃ  給紙トレイ
１０  操作部
１１  テンキー
１２  モード選択キー
１３  プログラムキー
１４  初期設定キー
１５  割り込みキー
１６  スタートキー
１７  液晶ディスプレイ
２１  原稿載置台
２２  給紙センサ
２３  給紙コロ
２４  表面イメージセンサ
２５  搬送コロ
２６  裏面イメージセンサ
２７  記録印字部
２８  排紙コロ
２９  原稿排紙台
３１  カウンタ部
３２  用紙管理部
４０  ＡＤＦ
４１、４２、４３  原稿排紙台
４４  用紙管理部
【図１】
2005094473.tif 000003
【図２】
2005094473.tif 000004
【図３】
2005094473.tif 000005
【図４】
2005094473.tif 000006
【図５】
2005094473.tif 000007
【図６】
2005094473.tif 000008